(57)【要約】【課題】  棒状部材に対し装飾体を簡単に交換することができ、しかも装飾体の棒状部材に対する取付状態が安定し、簡単に外れないようにしたかんざしを提供する。【解決手段】  頭髪等にさす棒状部材と、棒状部材に取り付けられる装飾体とからなるかんざしであって、装飾体を棒状部材へ交換可能に取り付ける構成となすと共に、この交換可能にする構成を、棒状部材を挿通させるために装飾体に設けられた挿通孔と、挿通孔の内側に設けられ摩擦係数が高い材料で構成した保持部とで構成し、挿通孔へ挿通させた棒状部材が保持部によるフリクション抵抗により装飾体を保持するように構成したことにより、前記課題を解決した。【選択図】        図１
0003126085.tif 000002
【実用新案登録請求の範囲】
【請求項１】
頭髪等にさす棒状部材と、この棒状部材に取り付けられる装飾体とからなるかんざしであって、
前記装飾体を前記棒状部材へ交換可能に取り付ける構成となすと共に、この交換可能にする構成を、前記棒状部材を挿通させるために前記装飾体に設けられた挿通孔と、この挿通孔の内側に設けられ摩擦係数が高い材料で構成した保持部とで構成し、前記挿通孔へ挿通させた前記棒状部材が前記保持部によるフリクション抵抗により前記装飾体を保持するように構成したことを特徴とする、かんざし。
【請求項２】
前記保持部を、円筒状又はリング状に形成し、この保持部を、接着部材又はワイヤー等の紐部材により前記挿通孔の内側に固定するようにしたことを特徴とする、請求項１に記載のかんざし。
【請求項３】
前記保持部を、円筒状又はリング状に形成し、前記装飾体に、前記保持部の両端部を係止する係止部を設けて、前記保持部を前記挿通孔の内側に固定するようにしたことを特徴とする、請求項１に記載のかんざし。
【請求項４】
前記保持部を、円筒状、リング状又は長尺状に形成し、前記挿通孔の内側に、前記保持部が嵌合する嵌合凹部を設けて、前記保持部を前記挿通孔の内側に固定するようにしたことを特徴とする、請求項１に記載のかんざし。
【請求項５】
前記保持部を、円筒状又はリング状に形成し、前記挿通孔の内側に、係合部を設けて、前記保持部を前記挿通孔の内側に固定するようにしたことを特徴とする、請求項１に記載のかんざし。
【請求項６】
頭髪等にさす棒状部材と、この棒状部材に取り付けられる装飾体とからなるかんざしであって、
前記装飾体を前記棒状部材へ交換可能に取り付ける構成となすと共に、この交換可能にする構成を、前記棒状部材の外周に突出され可撓性を有する係合凸部と、前記棒状部材を挿通させるために前記装飾体に設けられた挿通孔の内側に設けられ、前記係合凸部が係合する係合凹部とで構成し、前記挿通孔へ挿通させた前記棒状部材が前記係合凸部と前記係合凹部との係合により前記装飾体を保持するように構成したことを特徴とする、かんざし。
【請求項７】
前記係合凸部を、円筒状、リング状又は長尺状に形成し、この係合凸部を、接着部材又はワイヤー等の紐部材により前記棒状部材に固定するようにしたことを特徴とする、請求項６に記載のかんざし。
【請求項８】
前記係合凸部を、円筒状又はリング状に形成し、前記棒状部材の外面に、前記係合凸部が嵌合する嵌合凹部を設けて、前記係合凸部を前記棒状部材に固定するようにしたことを特徴とする、請求項６に記載のかんざし。
【考案の詳細な説明】
【技術分野】
【０００１】
本考案は、装飾体を簡単に交換することができるかんざしに関するものである。
【背景技術】
【０００２】
かんざしは、頭髪にさす棒状部材と、この棒状部材の所定の位置に取り付けられる装飾体とからなるものが知られている。この装飾体は、ロー付けや溶接加工等により棒状部材の所定の位置に固定されているものが一般的である。
【考案の開示】
【考案が解決しようとする課題】
【０００３】
しかるに、装飾体が棒状部材に固定されていると、種類・形状・色彩が異なるかんざしを揃える場合には、所望のかんざしに応じた個数のかんざしを購入しなければならず購入費用が嵩むと共に、かんざしの個数が増えれば増えるほど収納スペースも必要となるという問題があった。また、装飾体を交換可能に棒状部材に取り付けたものが提案されているが、部品点数が増えて構造が複雑になったり装飾体の交換に時間がかかったりするという問題があった。
【０００４】
本考案は、前記課題を解決するためになされたものであって、その目的は、棒状部材に対し装飾体を簡単に交換することができ、しかも装飾体の棒状部材に対する取付状態が安定し、簡単に外れないようにしたかんざしを提供することにある。
【課題を解決するための手段】
【０００５】
前記の目的を達成するための本考案に係るかんざしは、頭髪等にさす棒状部材と、この棒状部材に取り付けられる装飾体とからなるかんざしであって、前記装飾体を前記棒状部材へ交換可能に取り付ける構成となすと共に、この交換可能にする構成を、前記棒状部材を挿通させるために前記装飾体に設けられた挿通孔と、この挿通孔の内側に設けられ摩擦係数が高い材料で構成した保持部とで構成し、前記挿通孔へ挿通させた前記棒状部材が前記保持部によるフリクション抵抗により前記装飾体を保持するように構成したことを特徴とする。
【０００６】
この考案によれば、装飾体に設けられた挿通孔と、この挿通孔の内側に設けられ、摩擦係数が高い材料で構成した保持部とを備えたことで、装飾体の挿通孔に棒状部材を挿通させることによって、棒状部材に対して装飾体が保持部によるフリクション抵抗により保持されるので、棒状部材に対し装飾体を簡単に取り付けることができる。また、装飾体を棒状部材から引き抜くことで装飾体を簡単に取り外すことができる。従って、棒状部材に対し装飾体を簡単に交換することができ、しかも装飾体の棒状部材に対する取付状態が安定し、簡単に外れることがない。
【０００７】
本考案に係るかんざしにおいて、前記保持部を、円筒状又はリング状に形成し、この保持部を、接着部材又はワイヤー等の紐部材により前記挿通孔の内側に固定することが好ましい。また、本考案に係るかんざしにおいて、前記保持部を、円筒状又はリング状に形成し、前記装飾体に、前記保持部の両端部を係止する係止部を設けて、前記保持部を前記挿通孔の内側に固定することが好ましい。また、本考案に係るかんざしにおいて、前記保持部を、円筒状、リング状又は長尺状に形成し、前記挿通孔の内側に、前記保持部が嵌合する嵌合凹部を設けて、前記保持部を前記挿通孔の内側に固定することが好ましい。また、本考案に係るかんざしにおいて、前記保持部を、円筒状又はリング状に形成し、前記挿通孔の内側に、係合部を設けて、前記保持部を前記挿通孔の内側に固定することが好ましい。
【０００８】
また、前記の目的を達成するための本考案に係るかんざしは、頭髪等にさす棒状部材と、この棒状部材に取り付けられる装飾体とからなるかんざしであって、前記装飾体を前記棒状部材へ交換可能に取り付ける構成となすと共に、この交換可能にする構成を、前記棒状部材の外周に突出され可撓性を有する係合凸部と、前記棒状部材を挿通させるために前記装飾体に設けられた挿通孔の内側に設けられ、前記係合凸部が係合する係合凹部とで構成し、前記挿通孔へ挿通させた前記棒状部材が前記係合凸部と前記係合凹部との係合により前記装飾体を保持するように構成したことを特徴とする。
【０００９】
この考案によれば、棒状部材の外周に突出され可撓性を有する係合凸部と、装飾体の挿通孔の内側に設けられ、係合凸部が係合する係合凹部とを備えたことで、装飾体の挿通孔に棒状部材を挿通させることによって、係合凸部が可撓して装飾体の係合凹部に係合して装飾体が棒状部材に固定されるので、棒状部材に対し装飾体を簡単に取り付けることができる。また、装飾体を棒状部材から引き抜くことで装飾体を簡単に取り外すことができる。従って、棒状部材に対し装飾体を簡単に交換することができ、しかも装飾体の棒状部材に対する取付状態が安定し、簡単に外れることがない。
【００１０】
本考案に係るかんざしにおいて、前記係合凸部を、円筒状、リング状又は長尺状に形成し、この係合凸部を、接着部材又はワイヤー等の紐部材により前記棒状部材に固定することが好ましい。また、本考案に係るかんざしにおいて、前記係合凸部を、円筒状又はリング状に形成し、前記棒状部材の外面に、前記係合凸部が嵌合する嵌合凹部を設けて、前記係合凸部を前記棒状部材に固定することが好ましい。
【考案の効果】
【００１１】
以上説明したように本考案に係るかんざしによれば、装飾体に設けられた挿通孔と、この挿通孔の内側に設けられ、摩擦係数が高い材料で構成した保持部とを備えるか、または、棒状部材の外周に突出され可撓性を有する係合凸部と、装飾体の挿通孔の内側に設けられ、係合凸部が係合する係合凹部とを備えたので、棒状部材に対し装飾体を簡単に交換することができ、しかも装飾体の棒状部材に対する取付状態が安定し、簡単に外れることがない。
【考案を実施するための最良の形態】
【００１２】
以下、本考案に係るかんざしを添付図面に基づいて詳述する。
【００１３】
図１及び図２は本考案に係るかんざしの一例を示す図である。図３〜図１０は、本考案に係る保持部を装着体の挿通孔の内側に固定する手段を示す図である。図１１〜図１５は、本考案に係る係合凸部を棒状部材の外周に固定する手段を示す図である。本考案に係るかんざしは、図１及び図２に示すように、頭髪等にさす棒状部材２と、棒状部材２に取り付けられる装飾体３とからなるものである。
【００１４】
棒状部材２は、頭髪等に差し込んで保持されるものであり、例えば、金属材料等により棒状に形成されている。棒状部材２は、特に限定されず、例えば、装飾体３を取り付ける取付部２ａと、頭髪等に差し込む差込部２ｂとからなる。差込部２ｂは、特に限定されず、１本の棒状からなるもの（図２参照。）でもよいし、二股の差し込み片からなるもの（図１参照。）でもよい。取付部２ａは、特に限定されず、断面円形状、断面矩形状、断面５角以上の多角形状、断面湾曲形状等の棒状、例えば、断面円形状の棒状に形成されている。
【００１５】
装飾体３は、棒状部材２の取付部２ａの外周に取り付けられるもので、特に限定されず、多種多様のものがある。装飾体３は、例えば、略球状で表面が装飾されているもの（図１参照。）や、扇状体を３つ連結したもの（図２参照。）等が挙げられる。装飾体３には、棒状部材２の取付部２ａの外周に着脱可能に取り付けるための挿通孔４が設けられており、この挿通孔４に取付部２ａを挿通させることによって、棒状部材２の取付部２ａの外周に装飾体３が着脱可能、すなわち、交換可能に取り付けられている。
【００１６】
本考案に係るかんざし１は、装飾体３を棒状部材２へ交換可能に取り付ける構成となすと共に、この交換可能にする構成を、棒状部材２を挿通させるために装飾体３に設けられた挿通孔４と、挿通孔４の内側に設けられ摩擦係数が高い材料で構成した保持部５（図３〜図１０参照。）とで構成し、挿通孔４へ挿通させた棒状部材２が保持部５によるフリクション抵抗により装飾体３を保持するように構成したことに特徴がある。また、本考案に係るかんざし１は、装飾体３を棒状部材２へ交換可能に取り付ける構成となすと共に、この交換可能にする構成を、棒状部材２の外周に突出され可撓性を有する係合凸部６と、棒状部材２を挿通させるために装飾体３に設けられた挿通孔４の内側に設けられ、係合凸部６が係合する係合凹部７とで構成し、挿通孔４へ挿通させた棒状部材２が係合凸部６と係合凹部７との係合により装飾体３を保持するように構成したことに特徴がある。すなわち、本考案に係るかんざし１の特徴は、装飾体３を棒状部材２に簡単に着脱（交換）可能に取り付けることであり、第１の手段は、摩擦係数が高い保持部５を用いることを特徴し、第２の手段は、棒状部材２に可撓性を有する係合凸部６を設けることを特徴とする。なお、図３〜図１０において、便宜上、装飾体３を円筒状に形成し、同一符号を付している。
【００１７】
第１の手段は、棒状部材２を挿通させるために装飾体３に設けられた挿通孔４と、挿通孔４の内側に設けられ摩擦係数が高い材料で構成した保持部５とを備え、保持部５によるフリクション抵抗（摩擦力）によって装飾体３を棒状部材２に保持させるものである。保持部５は、摩擦係数が高くその摩擦力によって装飾体３を棒状部材２に保持させることが可能な高摩擦材料で形成されている。この高摩擦材料としては、特に限定されず、例えば、シリコンやゴムなどの合成樹脂等が挙げられる。保持部５の形状は、特に限定されず、例えば、円筒状、リング状及び紐状等に形成されていることが好ましい。この保持部５は、装飾体３の挿通孔４の内側に固定させた状態で設けられている。
【００１８】
この保持部５の固定Ａ手段は、特に限定されないが、例えば、図３〜図１０に示すように、１．接着部材２１を用いたり（図３参照。）、２．ワイヤーや糸等の紐部材２２を用いたり（図４参照。）、３．装飾体３に保持部５の両端部を係止する係止部２３を設けたり（図５〜図８参照。）、４．挿通孔４の内側に保持部５が嵌合する嵌合凹部２４を設けたり（図９参照。）、５．挿通孔４の内側に係合部２５を設けたり（図１０参照。）してもよい。
【００１９】
第１固定Ａ手段は、図３に示すように、装飾体３の挿通孔４の内側に接着部材を用いて保持部５を固定するものである。接着部材２１としては、保持部５を挿通孔４の内側に接着させることができれば特に限定されず、接着剤や粘着テープ等が挙げられる。この接着部材２１、例えば、接着剤を挿通孔４の内側に塗布し、この接着剤を介して、例えば、円筒状の保持部５ａ（図３（ａ）参照。）やリング状の保持部５ｂ（図３（ｂ）参照。）を挿通孔４の内側に固定するようにしてもよい。なお、リング状の保持部５ｂの個数は、特に限定されず、図３（ｂ）に示すように２個でもよいし、１個でも３個以上でもよい。
【００２０】
第２固定Ａ手段は、図４に示すように、装飾体３の挿通孔４の内側にワイヤーや糸等の紐部材２２を用いて保持部５を固定するものである。紐部材２２としては、保持部５を挿通孔４の内側に固定させることができれば特に限定されず、ワイヤーや糸等が挙げられる。この紐部材２２を用いて、円筒状の保持部５ａ（図４（ａ）参照。）やリング状の保持部５ｂ（図４（ｂ）参照。）を縛り付けて挿通孔４の内側に固定するようにしてもよい。紐部材２２の縛り付け方法は、特に限定されるものではない。なお、リング状の保持部５ｂの個数は、特に限定されず、図４（ｂ）に示すように１個でもよいし、２個以上でもよい。
【００２１】
第３固定Ａ手段は、図５〜図８に示すように、装飾体３に設けた係止部２３により保持部５の両端部を係止させて装飾体３の挿通孔４の内側に保持部５を固定するものである。係止部２３は、保持部５を挿通孔４の内側に固定させることができれば特に限定されず、爪部２３ａを設けたり、装飾体３の挿通孔４の両端部を絞って絞り部２３ｂを形成したりするようにしてもよい。例えば、爪部２３ａは、装飾体３の挿通孔４の両端部の近傍にそれぞれ設けられ、円筒状の保持部５ａ（図５参照。）やリング状の保持部５ｂ（図６参照。）を装飾体３の挿通孔４内に挿入した後、爪部２３ａを折り曲げて保持部５の両端部を爪部２３ａに係止させて挿通孔４の内側に保持部５を固定するようにしてもよい。爪部２３ａの個数は、２つでも３つでもよいし、４つ以上でもよい。爪部２３ａの配置は、特に限定されないが、略等間隔で配置されていることが好ましい。また、この装飾体３を変形させて保持部５（挿通孔４）を例えば略楕円状に変形させるようにしてもよい（図５（ｃ）参照。）。
【００２２】
また、円筒状の保持部５ａ（図７参照。）やリング状の保持部５ｂ（図８参照。）を装飾体３の挿通孔４内に挿入した後、この装飾体３の挿通孔４の両端部を絞って絞り部２３ｂを形成してこの絞り部２３ｂで保持部５の両端部を係止させて挿通孔４の内側に保持部５を固定するようにしてもよい。また、この装飾体３を変形させて保持部５（挿通孔４）を例えば略楕円状に変形させるようにしてもよい（図７（ｄ）及び図８（ｄ）参照。）。なお、リング状の保持部５の個数は、特に限定されない。
【００２３】
第４固定Ａ手段は、図９に示すように、装飾体３の挿通孔４の内側に保持部５が嵌合する嵌合凹部２４を設けて保持部５を固定するものである。嵌合凹部２４は、保持部５を嵌合させることができれば特に限定されず、例えば、円筒状の保持部５ａ（図９（ａ）参照。）を嵌合する場合には円筒状に形成したり、リング状の保持部５ｂ（図９（ｂ）参照。）を嵌合する場合には、断面半円状のリング状に形成したり、紐状の保持部５ｃ（図９（ｃ）参照。）を嵌合する場合には、螺旋状に形成したりしてもよい。なお、リング状の保持部５ｂの個数は、特に限定されず、図９（ｂ）に示すように１個でもよいし、２個以上でもよい。
【００２４】
第５固定Ａ手段は、図１０に示すように、装飾体３の挿通孔４の内側に係合部２５を設けて保持部５を固定するものである。係合部２５としては、保持部５を係合させることができれば特に限定されず、例えば、凸部を設けたり、挿通孔４の内側にネジ山を設けてたりしてもよい。
【００２５】
第２の手段は、棒状部材２の外周に突出され可撓性を有する係合凸部６と、棒状部材２を挿通させるために装飾体３に設けられた挿通孔４の内側に設けられ、係合凸部６が係合する係合凹部７とを備え、挿通孔４へ挿通させた棒状部材２が係合凸部６と係合凹部７との係合により装飾体３を保持するように構成したものである。係合凸部６は、可撓性を有して係合凹部７と係合するものであれば特に限定されず、例えば、シリコンやゴムなどの合成樹脂等により形成されている。係合凸部６の形状は、特に限定されず、例えば、円筒状及びリング状等に形成されていることが好ましい。この係合凸部６は、棒状部材２の取付部２ａに固定させた状態で設けられている。なお、装飾体３の挿通孔４を形成する内壁を可撓性を有する材料で形成するようにしてもよい。
【００２６】
係合凸部６の固定Ｂ手段は、特に限定されないが、例えば、図１１〜図１５に示すように、１．接着部材３１を用いたり（図１１参照。）、２．ワイヤーや糸等の紐部材３２を用いたり（図１２参照。）、３．棒状部材２の外面に係合凸部６が嵌合する嵌合凹部３３を設けたり（図１３〜図１５参照。）してもよい。
【００２７】
第１固定Ｂ手段は、図１１に示すように、棒状部材２の取付部２ａの外面に接着部材３１を用いて係合凸部６を固定するものである。接着部材３１としては、係合凸部６を接着させることができれば特に限定されず、接着剤や粘着テープ等が挙げられる。この接着部材３１、例えば、接着剤を取付部２ａの外面に塗布し、この接着剤を介して、例えば、円筒状の係合凸部６ａ（図１１（ａ）参照。）やリング状の係合凸部６ｂ（図１１（ｂ）参照。）を取付部２ａの外面に固定するようにしてもよい。なお、リング状の係合凸部６ｂの個数は、特に限定されず、図１１（ｂ）に示すように２個でもよいし、１個でも３個以上でもよい。
【００２８】
第２固定Ｂ手段は、図１２に示すように、棒状部材２の取付部２ａの外面にワイヤーや糸等の紐部材３２を用いて係合凸部６を固定するものである。紐部材３２としては、係合凸部６を固定させることができれば特に限定されず、ワイヤーや糸等が挙げられる。この紐部材３２を用いて、円筒状の係合凸部６ａ（図１２（ａ）参照。）やリング状の係合凸部６ｂ（図１２（ｂ）参照。）を縛り付けて棒状部材２の取付部２ａの外面に固定するようにしてもよい。紐部材３２の縛り付け方法は、特に限定されるものではない。なお、リング状の係合凸部６ｂの個数は、特に限定されず、図１２（ｂ）に示すように４個でもよいし、１〜３個でもよいし、５個以上でもよい。
【００２９】
第３固定Ｂ手段は、図１３〜図１５に示すように、棒状部材２の取付部２ａの外面に係合凸部６が嵌合する嵌合凹部３３を設けて係合凸部６を固定するものである。嵌合凹部３３は、係合凸部６を嵌合させることができれば特に限定されず、例えば、円筒状の係合凸部６ａ（図１３参照。）を嵌合する場合には円筒状に形成したり、リング状の係合凸部６ｂ（図１４参照。）を嵌合する場合には、断面半円状のリング状に形成したりしてもよい。この場合、円筒状の係合凸部６ａ及びリング状の係合凸部６ｂの内径は、取付部２ａの外径より小さな径で形成されていることが好ましい。また、嵌合凹部３３は、例えば、図１５に示すように、棒状部材２の取付部２ａの外面に２つの突起３４を設けてこの突起３４と取付部２ａの外面とで嵌合凹部３３として形成するようにしてもよい。この場合、円筒状の係合凸部６ａ及びリング状の係合凸部６ｂの内径は、取付部２ａの外径と略同じ寸法で形成されていることが好ましい。なお、リング状の係合凸部６ｂの個数は、特に限定されない。
【００３０】
次に本考案に係るかんざし１の作用を説明する。
【００３１】
装飾体３は、棒状部材２の取付部２ａに取り付けられている。この装飾体３の取付部２ａへの取付は、装飾体３の挿通孔４の内側に保持部５を設けて、この保持部５の摩擦力によって装飾体３を棒状部材２に保持させている第１の手段と、図１及び図２に示すように、棒状部材２に可撓性を有する係合凸部６を設け、装飾体３に係合凸部６が係合する係合凹部７を有する挿通孔４を設けて、係合凸部６と係合凹部７とを係合させて装飾体３を棒状部材２に保持させている第２の手段とがある。
【００３２】
第１の手段の場合には、例えば、片方の手で棒状部材２を掴むと共に、残りの片方の手で装飾体３を掴み、棒状部材２を装飾体３の挿通孔４から抜ける方向に引っ張る。この力が保持部５と棒状部材２（取付部２ａ）との間に作用する摩擦力より大きいと、棒状部材２が装飾体３の挿通孔４から抜けて、装飾体３を取り外すことができる。この装飾体３又は別の装飾体３を取り付けるには、例えば、片方の手で棒状部材２を掴むと共に、残りの片方の手で装飾体３を掴み、棒状部材２を装飾体３の挿通孔４内に挿通させる。この力が保持部５と棒状部材２（取付部２ａ）との間に作用する摩擦力より大きいと、棒状部材２が装飾体３の挿通孔４に挿通される。棒状部材２の取付部２ａの所望の位置に装飾体３が位置されたら、作用させた力を止める。これにより、保持部５の摩擦力によって装飾体３が棒状部材２（取付部２ａ）に保持（固定）された状態で取り付けられるので、装飾体３の取付を容易に行うことができる。従って、装飾体３の着脱及び交換を簡単に行うことができ、しかも装飾体３の棒状部材２に対する取付状態が安定し、装飾体３が棒状部材２から簡単に外れることがない。
【００３３】
第２の手段の場合には、例えば、片方の手で棒状部材２を掴むと共に、残りの片方の手で装飾体３を掴み、棒状部材２を装飾体３の挿通孔４から抜ける方向に引っ張る。この力が係合凸部６が可撓して棒状部材２が装飾体３の挿通孔４から抜け得る力より大きいと、棒状部材２が装飾体３の挿通孔４から抜けて、装飾体３を取り外すことができる。この装飾体３又は別の装飾体３を取り付けるには、例えば、片方の手で棒状部材２を掴むと共に、残りの片方の手で装飾体３を掴み、棒状部材２を装飾体３の挿通孔４内に挿通させる。この力が係合凸部６が可撓してこの係合凸部６が装飾体３の係合凹部７内に係合し得る力より大きいと、棒状部材２が装飾体３の挿通孔４に挿通されつつ係合凸部６が装飾体３の係合凹部７内に係合する。これにより、装飾体３が棒状部材２（取付部２ａ）に係合された状態で取り付けられるので、装飾体３の取付を容易に行うことができる。従って、装飾体３の着脱及び交換を簡単に行うことができ、しかも装飾体３の棒状部材２に対する取付状態が安定し、装飾体３が棒状部材２から簡単に外れることがない。
【００３４】
このように、本考案に係るかんざしは、装飾体３に挿通孔４を設け、この挿通孔４の内側に、摩擦係数が高い保持部５を設けるか、棒状部材２の外周に、可撓性を有する係合凸部６を設け、装飾体３に係合凹部７を有する挿通孔４を設けたので、装飾体３の着脱及び交換を簡単に行うことができ、しかも装飾体３の棒状部材２に対する取付状態が安定し、装飾体３が棒状部材２から簡単に外れることがない。このため、種類・形状・色彩が異なるかんざしを揃える場合には、種類・形状・色彩が異なる装飾体３のみを揃えればよく、購入費用を少なくすることができる。また、異なる棒状部材２や同じ棒状部材２を揃えれば、別のかんざしや予備のかんざしとして用いることができ、組み合わせを自由自在に選択することができると共に、少ない収納スペースで収容することが可能となる。
【産業上の利用可能性】
【００３５】
以上説明したように本考案に係るかんざしは、装飾体に設けられた挿通孔と、この挿通孔の内側に設けられ、摩擦係数が高い材料で構成した保持部とを備えるか、または、棒状部材の外周に突出され可撓性を有する係合凸部と、装飾体の挿通孔の内側に設けられ、係合凸部が係合する係合凹部とを備えたので、棒状部材に対し装飾体を簡単に交換することができ、しかも装飾体の棒状部材に対する取付状態が安定し、簡単に外れることがないことから、種類・形状・色彩が異なるかんざしを揃える場合には、装飾体のみを揃えばよく、購入費用が少なくなると共に、管理し易く、かつ、収納スペースも小さくてすむ。
【図面の簡単な説明】
【００３６】
【図１】本考案に係るかんざしの一例を示す図で、（ａ）は全体図、（ｂ）は要部を示す断面図である。
【図２】本考案に係るかんざしの一例を示す図で、（ａ）は全体図、（ｂ）は要部を示す断面図である。
【図３】本考案に係る保持部を装着体の挿通孔の内側に固定する第１固定Ａ手段を示す図で、（ａ）は本考案に係る保持部が円筒状に形成されている一例を示す概略一部側断面図、（ｂ）は本考案に係る保持部がリング状に形成されている一例を示す概略側断面図である。
【図４】本考案に係る保持部を装着体の挿通孔の内側に固定する第２固定Ａ手段を示す図で、（ａ）は本考案に係る保持部が円筒状に形成されている一例を示す概略側断面図、（ｂ）は本考案に係る保持部がリング状に形成されている一例を示す概略側断面図である。
【図５】本考案に係る円筒状の保持部を装着体の挿通孔の内側に固定する第３固定Ａ手段の一例を示す図で、（ａ）は概略一部側断面図、（ｂ）は平面図、（ｃ）は平面図である。
【図６】本考案に係るリング状の保持部を装着体の挿通孔の内側に固定する第３固定Ａ手段の一例を示す図で、（ａ）は概略側断面図、（ｂ）は概略側断面図、（ｃ）は平面図である。
【図７】本考案に係る円筒状の保持部を装着体の挿通孔の内側に固定する第３固定Ａ手段の他の例を示す図で、（ａ）は概略一部側断面図、（ｂ）は概略側面図、（ｃ）は平面図、（ｄ）は平面図である。
【図８】本考案に係る円筒状の保持部を装着体の挿通孔の内側に固定する第３固定Ａ手段の他の例を示す図で、（ａ）は概略側断面図、（ｂ）は概略側面図、（ｃ）は平面図、（ｄ）は平面図である。
【図９】本考案に係る保持部を装着体の挿通孔の内側に固定する第４固定Ａ手段を示す図で、（ａ）は本考案に係る保持部が円筒状に形成されている一例を示す概略側断面図、（ｂ）は本考案に係る保持部がリング状に形成されている一例を示す概略側断面図、（ｃ）は本考案に係る保持部が紐状に形成されている一例を示す概略側断面図である。
【図１０】本考案に係る保持部を装着体の挿通孔の内側に固定する第５固定Ａ手段を示す図で、（ａ）は本考案に係る保持部が円筒状に形成されている一例を示す概略一部側断面図、（ｂ）は本考案に係る保持部がリング状に形成されている一例を示す概略側断面図である。
【図１１】本考案に係る保持部を棒状部材に固定する第１固定Ｂ手段を示す図で、（ａ）は本考案に係る保持部が円筒状に形成されている一例を示す概略側断面図、（ｂ）は本考案に係る保持部がリング状に形成されている一例を示す概略側断面図である。
【図１２】本考案に係る保持部を棒状部材に固定する第２固定Ｂ手段を示す図で、（ａ）は本考案に係る保持部が円筒状に形成されている一例を示す概略側面図、（ｂ）は本考案に係る保持部がリング状に形成されている一例を示す概略側面図である。
【図１３】本考案に係る保持部を棒状部材に固定する第３固定Ｂ手段の一例を示す図で、（ａ）は棒状部材の要部を示す概略側面図、（ｂ）は保持部を固定した状態を示す概略側面図である。
【図１４】本考案に係る保持部を棒状部材に固定する第３固定Ｂ手段の他の例を示す図で、（ａ）は棒状部材の要部を示す概略側面図、（ｂ）は保持部を固定した状態を示す概略側面図である。
【図１５】本考案に係る保持部を棒状部材に固定する第３固定Ｂ手段の他の例を示す図で、（ａ）は棒状部材の要部を示す概略側面図、（ｂ）は保持部を固定した状態を示す概略側面図、（ｃ）は保持部を固定した状態を示す概略側面図である。
【符号の説明】
【００３７】
１  かんざし
２  棒状部材
３  装飾体
４  挿通孔
５  保持部
６  係合凸部
７  係合凹部
２１  接着部材
２２  紐部材
２３  係止部
２４  嵌合凹部
２５  係合部
３１  接着部材
３２  紐部材
３３  嵌合凹部
【図１】
0003126085.tif 000003
【図２】
0003126085.tif 000004
【図３】
0003126085.tif 000005
【図４】
0003126085.tif 000006
【図５】
0003126085.tif 000007
【図６】
0003126085.tif 000008
【図７】
0003126085.tif 000009
【図８】
0003126085.tif 000010
【図９】
0003126085.tif 000011
【図１０】
0003126085.tif 000012
【図１１】
0003126085.tif 000013
【図１２】
0003126085.tif 000014
【図１３】
0003126085.tif 000015
【図１４】
0003126085.tif 000016
【図１５】
0003126085.tif 000017